(57)【特許請求の範囲】
【請求項１】
ネット素材からなる袋体における洗濯物の出し入れ口に、スライドファスナーを取り付けた洗濯ネットであって、
前記スライドファスナーは、合成樹脂製モノフィラメントをコイル状またはジグザグ状に捲回した線状ファスナーエレメントをファスナーテープ上に縫糸によって縫着したものとし、
かつ、このスライドファスナーを、前記線状ファスナーエレメントを前記袋体の内側にのみ配置し、前記ファスナーテープを前記袋体の外側に配置し、さらにスライダーの引き手を前記袋体の外側に配して前記出し入れ口に取り付け、
前記袋体における出し入れ口は、該出し入れ口をなす袋体の縁部を、袋体の外側から前記縫糸側において袋体の内側に折り込んだ折り込み部を形成し、袋体の内側から該折り込み部に前記ファスナーテープを取り付けたことを特徴とする洗濯ネット。
【発明の詳細な説明】
【技術分野】
【０００１】
本発明は，洗濯ネットに関するものである。
【背景技術】
【０００２】
従来、例えば特許文献１に見られるように、ネット素材からなる袋体（１）における洗濯物の出し入れ口に、スライドファスナー（３ｂ）を取り付けた洗濯ネットが知られている。
このような洗濯ネットによれば、スライドファスナー（３ｂ）を開いて洗濯物を袋体（１）に入れ、それを洗濯機に投入して、洗濯物を傷めることなく洗濯することができる。
【０００３】
また、従来、例えば特許文献２に見られるように、合成樹脂製モノフィラメントをコイル状またはジグザグ状に捲回した線状ファスナーエレメント（４）をファスナーテープ（７）上に縫糸（８）によって縫着したスライドファスナーが知られている。
合成樹脂製モノフィラメントをコイル状またはジグザグ状に捲回した線状ファスナーエレメント（４）を用いたスライドファスナーは、ファスナーエレメント（４）が丸味を帯びていてエッジ部が無いか又は極めて少ないから洗濯物を傷めにくく、洗濯物の出し入れ口となる洗濯ネットの口部に用いるのに適している。
【先行技術文献】
【特許文献】
【０００４】
【特許文献１】特許第２６９６０９３号公報
【特許文献２】特開２００５−１９９０５６号公報
【発明の概要】
【発明が解決しようとする課題】
【０００５】
上述したようなスライドファスナーを洗濯ネットの口部に用いると、次のような問題が生じることが分かった。
線状ファスナーエレメント（４）をファスナーテープ（７）上に逢着している縫糸（８）は、洗濯ネットの外側に凸状に（線状ファスナーエレメント（４）によって外側に押し出されるような状態で）露出する。
このため、洗濯物を入れた洗濯ネットを洗濯機に投入して洗濯すると、縫糸（８）が洗濯槽の壁面に強く擦られる。
縫糸（８）は、ファスナーテープ（７）に比べて硬い合成樹脂製の線状ファスナーエレメント（４）に巻き回されているから、縫糸（８）が洗濯槽に擦られる際には、比較的硬いファスナーエレメント（４）によって、同じく比較的硬い合成樹脂又は金属製の洗濯槽の壁面に押し付けられるようにして擦られることとなる。
しかも、近年では、節水タイプの斜めドラム式で、いわゆるたたき洗いがなされることもあり、そのような場合、縫糸（８）はより強く擦られる。
以上のような理由により、洗濯ネットを繰り返し使用すると、縫糸（８）が切れて線状ファスナーエレメント（４）がファスナーテープ（７）から剥がれてしまう（スライドファスナーが破損する）ことがあるという問題が生じた。
【０００６】
したがって、本発明が解決しようとする課題は，洗濯物を傷めにくくすることができるとともに、スライドファスナーの破損も生じ難い洗濯ネットを提供することである。
【課題を解決するための手段】
【０００７】
上記課題を解決するために，本発明の洗濯ネットは，ネット素材からなる袋体における洗濯物の出し入れ口に、スライドファスナーを取り付けた洗濯ネットであって、
前記スライドファスナーは、合成樹脂製モノフィラメントをコイル状またはジグザグ状に捲回した線状ファスナーエレメントをファスナーテープ上に縫糸によって縫着したものとし、
かつ、このスライドファスナーを、前記線状ファスナーエレメントを前記袋体の内側にのみ配置し、前記ファスナーテープを前記袋体の外側に配置し、さらにスライダーの引き手を前記袋体の外側に配して前記出し入れ口に取り付け、
前記袋体における出し入れ口は、該出し入れ口をなす袋体の縁部を、袋体の外側から前記縫糸側において袋体の内側に折り込んだ折り込み部を形成し、袋体の内側から該折り込み部に前記ファスナーテープを取り付けたことを特徴とする。
この洗濯ネットによれば，袋体における洗濯物の出し入れ口に取り付けたスライドファスナーが、合成樹脂製モノフィラメントをコイル状またはジグザグ状に捲回した線状ファスナーエレメントをファスナーテープ上に縫糸によって縫着したものとなっているので、洗濯物を傷めにくくなる。
そして、このスライドファスナーは、線状ファスナーエレメントが袋体の内側にのみ配置され、ファスナーテープが袋体の外側に配置されているので、洗濯ネットに洗濯物を入れて洗う際、縫糸は洗濯ネットの外側に凸状には露出しない。
このため、洗濯時に、縫糸が洗濯槽の壁面に強く擦られるという事態が生じなくなり、かつ、縫糸が洗濯槽に当接する際には、比較的柔らかなファスナーテープが緩衝材としての作用もなすから、縫糸が切れる（スライドファスナーが破損する）という事態はほとんど生じなくなる。
以上のように、この発明の洗濯ネットによれば、洗濯物を傷めにくくすることができるとともに、スライドファスナーの破損も生じにくくすることができる。
さらにスライダーの引き手は、袋体の外側に配置されているので、ファスナーの開閉操作にも不都合は生じない。
また、前記袋体における出し入れ口は、該出し入れ口をなす袋体の縁部を、袋体の外側から前記縫糸側において袋体の内側に折り込んだ折り込み部を形成し、袋体の内側から該折り込み部に前記ファスナーテープを取り付けた構成としたので、前記折り込み部が緩衝体としての作用をなし、洗濯時に、縫糸が洗濯槽の壁面に強く擦られるという事態が一層生じにくくなる。
【図面の簡単な説明】
【０００８】
【図１】本発明に係る洗濯ネットの一実施の形態を示す図で、（ａ）は平面図、（ｂ）は図（ａ）におけるｂ−ｂ断面図。
【図２】図１（ｂ）の部分拡大図。
【図３】（ａ）〜（ｈ）はそれぞれ洗濯ネットの形状の例を示す図。
【図４】変形例を示す拡大断面図で、図２に相当する図。
【図５】他の変形例を示す図で、（ａ）は図１におけるｂ−ｂ断面図に相当する図、（ｂ）は図５（ａ）の部分拡大図。
【発明を実施するための形態】
【０００９】
以下，本発明に係る洗濯ネットの実施の形態について図面を参照して説明する。なお、各図において、同一部分ないし相当する部分には、同一の符号を付してある。
【００１０】
図１に示すように、この実施の形態の洗濯ネット１は，ネット素材からなる袋体１０における洗濯物の出し入れ口１１に、スライドファスナー２０を取り付けた洗濯ネットである。
袋体１０を構成するネット素材は、通水性があって、洗濯物を収容して洗うのに適した素材であれば適宜の素材を採用することができ、公知のネット素材を用いることもできる。
【００１１】
図１，図２に示すように、スライドファスナー２０は、合成樹脂製モノフィラメントをコイル状に捲回した線状ファスナーエレメント２１，２１をファスナーテープ２２，２２上に縫糸２３によって縫着したものである。図示の線状ファスナーエレメント２１は、合成樹脂製モノフィラメントをコイル状に捲回したものであるが、ジグザグ状に捲回したものを用いることもできる。
線状ファスナーエレメント２１，ファスナーテープ２２，縫糸２３、および逢着方法はいずれも公知のもの（例えば特許文献２に記載されたもの）を採用することができる。例えば、線状ファスナーエレメント２１はポリアミド、ポリエステル等のモノフィラメントで構成でき、ファスナーテープ２２はポリエステルテープ、合成繊維テープ、綿テープ等で構成することができる。なお、図２において、２６は、コイル状ファスナーエレメント２１内に挿通された芯紐である。
【００１２】
この実施の形態におけるスライドファスナー２０は、線状ファスナーエレメント２１が袋体１０の内側１２に、ファスナーテープ２２が袋体１０の外側１３に、さらにスライダー２４の引き手２５が袋体１０の外側１３に配されて、袋体１０の出し入れ口１１に取り付けられている。
【００１３】
この洗濯ネット１によれば，袋体１０における洗濯物の出し入れ口１１に取り付けたスライドファスナー２０が、合成樹脂製モノフィラメントをコイル状またはジグザグ状に捲回した線状ファスナーエレメント２１をファスナーテープ２２上に縫糸２３によって縫着したものとなっているので、洗濯物を傷めにくくなる。
そして、このスライドファスナー２０は、線状ファスナーエレメント２１が袋体１０の内側１２に配置され、ファスナーテープ２２が袋体１０の外側１３に配置されているので、洗濯ネット１に洗濯物を入れて洗う際、縫糸２３は洗濯ネット１の外側１３に凸状には（線状ファスナーエレメント２１によって外側に押し出されるような状態では）露出しない。図２に示すように、縫糸２３は洗濯ネット１の内側１２に凸状に露出する。
このため、洗濯時に、縫糸２３が洗濯槽の壁面Ｗ（図１，図２の仮想線参照）に強く擦られるという事態が生じなくなり、かつ、縫糸２３が洗濯槽に当接する際には、比較的柔らかなファスナーテープ２２が線状ファスナーエレメント２１との間の緩衝材としての作用もなすから、縫糸２３が切れる（スライドファスナー２０が破損する）という事態はほとんど生じなくなる。
以上のように、この洗濯ネット１によれば、洗濯物を傷めにくくすることができるとともに、スライドファスナー２０の破損も生じにくくすることができる。
さらにスライダー２４の引き手２５は、袋体１０の外側１３に配置されているので、ファスナー２０の開閉操作にも不都合は生じない。
【００１４】
図１（ｂ），および図２に示すように、袋体１０における出し入れ口１１は、該出し入れ口１１をなす袋体１０の縁部１４が、袋体１０の外側から前記縫糸２３側において袋体１０の内側１２に折り込まれた折り込み部１５が形成され、袋体１０の内側１２から該折り込み部１５にファスナーテープ２２が取り付けられている。
このようにすると，折り込み部１５が緩衝体としての作用をなすので、洗濯時に、縫糸２３（図２）が洗濯槽の壁面Ｗに強く擦られるという事態が一層生じにくくなる。
図２において、１６は、折り込み部にファスナーテープ２２を縫いつけている糸を概略的に示したものである。
【００１５】
洗濯ネット１の形状は、種々の形状を採用することができる。
例えば、図３（ａ）に示すように、角型（角封筒型）洗濯ネット、（ｂ）に示すように、筒型洗濯ネット、（ｃ）に示すようにテトラ型洗濯ネット、（ｄ）に示すように、ベル型（円錐形）洗濯ネットとすることができる。
このような形状とした場合、ファスナー２０は直線状に使用することができるので、擦れの問題は生じにくいようにも思われるが、実際には、洗濯中の外力により、ねじれたり湾曲したりするので、擦れの問題は生じる。したがって、本発明の構成を採用することは有意義である。
【００１６】
また、例えば、図３（ｅ）に示すように、球型洗濯ネット、（ｆ）に示すように、太鼓型洗濯ネット、（ｇ）に示すように、ドーム型洗濯ネット、（ｈ）に示すように、小判型洗濯ネットとすることができる。
このような形状とした場合、ファスナー２０は初期的に湾曲しているので、擦れの問題が生じやすい。したがって、本発明の構成を採用することは特に有意義である。
【００１７】
以上，本発明の実施の形態について説明したが，本発明は上記の実施の形態に限定されるものではなく，本発明の要旨の範囲内において適宜変形実施可能である。
例えば図４に示すように、ファスナーテープ２２の縁部および袋体１０の縁部１４は、糸１６で同時に逢着したバイヤステープ１７で包むように縫いつけることもできる。この際、バイヤステープ１７の縁部１７ｅは内側に折り込んで縫いつける。
また、請求項１に関しては、例えば図５に示すように、袋体１０における出し入れ口１１を外側に折り返し、その折り返し部１８に、外側１３からファスナーテープ２２を取り付けることもできる。その場合、図５（ｂ）に示すように、ファスナーテープ２２の縁部および袋体１０の縁部１４は、糸１６で同時に逢着したバイヤステープ１７で包むように縫いつけることもできる。
【符号の説明】
【００１８】
１    洗濯ネット
１０    袋体
１１    出し入れ口
１２    内側
１３    外側１３
１４    縁部
１５    折り込み部
２０    スライドファスナー
２１    線状ファスナーエレメント
２２    ファスナーテープ
２３    縫糸
２４    スライダー
２５    引き手
【図１】
0005681669.tif 000002
【図２】
0005681669.tif 000003
【図３】
0005681669.tif 000004
【図４】
0005681669.tif 000005
【図５】
0005681669.tif 000006